(57)【要約】【課題】車載用の撮像装置の種類を増やすことなく、搭載箇所、搭載車両に合わせる撮像装置に設けられるキャップ部材を低コストで実現する撮像装置を提供する。【解決手段】本開示に係る撮像装置は、鏡筒、筐体、リング部材、及びキャップ部材を備える。鏡筒はレンズを保持する。筐体は前記鏡筒を収容する。リング部材は前記鏡筒に設ける。キャップ部材は、前記レンズに対応する開口部を有し、前記鏡筒を覆い、前記リング部材とスナップフィット構造で接続する。【選択図】図３
0003234888.tif 000002
【実用新案登録請求の範囲】
【請求項１】
レンズを保持する鏡筒と、
前記鏡筒を収容する筐体と、
前記鏡筒に設けられたリング部材と、
前記レンズに対応する開口部を有し、前記鏡筒を覆い、前記リング部材とスナップフィット構造で接続されるキャップ部材と、
を備える撮像装置。
【請求項２】
前記スナップフィット構造は、
前記リング部材と、前記鏡筒と、で形成され、前記キャップ部材を嵌め込むための嵌合孔で接続する、
請求項１に記載の撮像装置。
【請求項３】
前記キャップ部材は、複数のリブを設け、
前記リブの一部は、前記リング部材に接続する基準となる基準リブである、
請求項１または２に記載の撮像装置。
【考案の詳細な説明】
【技術分野】
【０００１】
本開示は、撮像装置に関する。
【背景技術】
【０００２】
近年、車両の運転支援システムの普及に伴い、カメラが車両に搭載されることが増えつつある。カメラは、車両のフロントグリル、サイドミラー、リアトランク等様々な場所への搭載が求められる。また、搭載箇所、搭載車両に合わせてカメラの形状を変えるとカメラの種類が多くなるため、ベースカメラは一種類としカメラキャップを用いて各搭載箇所、車両に合わせた設計が必要になってきている（例えば、特許文献１参照）。
【先行技術文献】
【特許文献】
【０００３】
【特許文献１】特許第２０２０−１２２９４０号公報
【考案の概要】
【考案が解決しようとする課題】
【０００４】
しかしながら、特許文献１では、カメラキャップはブラケット付きのカメラ部品に取り付けるため、ブラケットとの締結はねじで固定する構造であり、部品コストが高くなる。
【０００５】
本開示は、車載用の撮像装置の種類を増やすことなく、搭載箇所、搭載車両に合わせる撮像装置に設けられるキャップ部材を低コストで実現する撮像装置を提供する。
【課題を解決するための手段】
【０００６】
本開示に係る撮像装置は、鏡筒、筐体、リング部材、及びキャップ部材を備える。鏡筒はレンズを保持する。筐体は前記鏡筒を収容する。リング部材は前記鏡筒に設ける。キャップ部材は、前記レンズに対応する開口部を有し、前記鏡筒を覆い、前記リング部材とスナップフィット構造で接続する。
【考案の効果】
【０００７】
本開示に係る撮像装置によれば、車載用の撮像装置の種類を増やすことなく、搭載箇所、搭載車両に合わせる撮像装置に設けられるキャップ部材を低コストで実現することができる。
【図面の簡単な説明】
【０００８】
【図１】図１は、実施形態に係る撮像装置の斜視図の一例を示す図である。
【図２】図２は、実施形態に係る撮像装置の部品構成図の一例を示す図である。
【図３】図３は、実施形態に係る撮像装置の断面図の一例を示す図である。
【図４】図４は、実施形態に係る撮像装置の断面図の一例を示す図である。
【図５】図５は、実施形態に係る撮像装置の断面図の一例を示す図である。
【図６】図６は、実施形態に係る撮像装置を車両の側方に適用した一例を示す図である。
【図７】図７は、実施形態に係る撮像装置を車両の前方に適用した一例を示す図である。
【図８】図８は、実施形態に係る撮像装置を車両の後方に適用した一例を示す図である。
【図９】図９は、変形例に係る撮像装置の断面図の一例を示す図である。
【図１０】図１０は、変形例に係る撮像装置の断面図の一例を示す図である。
【考案を実施するための形態】
【０００９】
以下、図面を参照しながら、本開示に係る撮像装置の実施形態について説明する。
【００１０】
本実施形態に係る撮像装置は、車両に搭載され、車両の運転支援に用いられ得る。運転支援用の撮像装置は、内部のＩＳＰ（Ｉｍａｇｅ  Ｓｉｇｎａｌ  Ｐｒｏｃｅｓｓｏｒ）による画像処理により、車両、歩行者、障害物などの物体を検知し、運転者に警告を行ったり、車両を強制的に停止させたりするなど、車両の運転支援システムにおいて主要な役割を担っている。
【００１１】
図１は、実施形態に係る撮像装置１００の斜視図である。図２は、実施形態に係る撮像装置１００の部品構成図である。図１及び図２に示すように、実施形態に係る撮像装置１００は、キャップ部材１、鏡筒２、筐体３、リング部材４、及び基板５を有する。
【００１２】
また、以下に説明する図面において、便宜上、互いに直交するＸ軸、Ｙ軸、Ｚ軸を示しており、実施形態の撮像装置１００における左右方向（Ｘ方向）、前後方向（Ｙ方向）、上下方向（Ｚ方向）をＸ軸、Ｙ軸、Ｚ軸を用いて説明する。なお、以下の説明において、単に、Ｘ方向、Ｙ方向、またはＺ方向と記載した場合には、それぞれの軸方向であり、逆向きの２方向を含む。また、Ｘ軸の正方向と特定した場合には左側から右側への一方向であり、Ｙ軸の正方向と特定した場合には前側から後ろ側への一方向であり、Ｚ軸の正方向と特定した場合には下側から上側への一方向である。
【００１３】
図３は、図１におけるＡ−Ａ線に沿った断面図である。図３に示すように、キャップ部材１は、キャップ部材１の中央にレンズ２１に対応する開口部１１を有し、鏡筒２を覆う。キャップ部材１は、リング部材４と接続する。キャップ部材１は、キャップ部材１の頂上面から−Ｚ方向に向けて突出した第１の突出部１２、及び第２の突出部１３を有する。第１の突出部１２は、リング部材４の上端面４１に接続する。第２の突出部１３は、リング部材４の下端面４２にスナップフィット構造で接続する。接続構成については、後述する。
【００１４】
鏡筒２は、レンズ２１をＸＹ方向の外側から保持する。鏡筒２は、ＸＹ方向の内側に光軸が通る空洞を有し、レンズ２１の光を光軸に沿ってその下流側（−Ｚ方向）へ導く。鏡筒２は、鏡筒２の外周面２２から外側に向けて張り出した円環状の第３の突出部２３を有する。第３の突出部２３は、筐体３の内側に収容される。第３の突出部２３は、リング部材４の下端面４２に接続する。接続構成については、後述する。
【００１５】
筐体３は、鏡筒２及び基板５を収容する。筐体３は、筐体３の開口部３１内に挿入するように鏡筒２を収容する。筐体３は、リング部材４と接続する。接続構成については、後述する。
【００１６】
リング部材４は、平板方形環状である。リング部材４の内周面４４は、外周面２２と対向しており、リング部材４の内径は、鏡筒２が挿入可能な径である。リング部材４は、キャップ部材１と、鏡筒２と、の間に設けられる。リング部材４の上端面４１は、キャップ部材１が有する第１の突出部１２、及び第２の突出部１３と接続する。リング部材４の下端面４２は、キャップ部材１が有する第２の突出部１３、鏡筒２が有する第３の突出部２３、筐体３と接続する。接続構成については、後述する。
【００１７】
基板５は、筐体３に収容する。基板５は、レンズ２１により撮像面に形成された被写体増を撮像する固体撮像素子を実装する。固体撮像素子は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサである。
【００１８】
次に、キャップ部材１、鏡筒２、筐体３、及びリング部材４の接続構成について、図４を用いて説明する。図４は、図３に記載の点線図に囲われた領域の拡大図である。
【００１９】
まず、リング部材４の上端面４１の接続構成について説明する。上述した通り、リング部材４の上端面４１は、キャップ部材１が有する第１の突出部１２、及び第２の突出部１３と接続する。具体的には、リング部材４の上端面４１の外周面４３と、第１の突出部１２が接続する。また、リング部材４の上端面４４１の内周面４４と、第２の突出部１３が接続する。
【００２０】
次に、リング部材４の下端面４２の接続構成について説明する。上述した通り、リング部材４の下端面４２は、第２の突出部１３、鏡筒２が有する第３の突出部２３、筐体３と接続する。具体的には、リング部材４の下端面４２の外周面４３と、筐体３が接続する。また、リング部材４の下端面４２の内周面４４と、第２の突出部１３が接続する。さらに、リング部材４の下端面４２の外周面４３と内周面４４の間と、第３の突出部２３が接続する。
【００２１】
また、第２の突出部１３は、キャップ部材１を嵌め込むための篏合孔５０で篏合し、スナップフィット構造で接続する。篏合孔５０は、外周面２２と第３の突出部２３が側壁となる空間５１に対して、リング部材４が空間５１を覆うことで、篏合孔５０が形成される。なお、リング部材４の下端面４２と、第３の突出部２３、筐体３の固定は、それぞれに対し接着材を塗布して接着しても良いし、レーザーで溶着しても良く、これに限定されない。
【００２２】
これにより、キャップ部材１と筐体３は、リング部材４を介して、接続することができる。また、キャップ部材１は、リング部材４とスナップフィット構造で接続することで、ねじ等の締結部品を使う固定部品が不要となるため、撮像装置１００のコストダウンに繋がる。
【００２３】
また、キャップ部材１とリング部材４の接続構成について図５を用いて説明する。図５は、図１における点線領域をＢから見た断面図である。
【００２４】
キャップ部材１が有する第２の突出部１３は１以上あり、例えば、第２の突出部１３は、第４の突出部１３１、第５の突出部１３２、第６の突出部１３３、第７の突出部１３４である。また、キャップ部材１は、複数のリブを有する。具体的には、複数のリブは、基準リブ１４、及び潰しリブ１５である。複数のリブは、キャップ部材１の位置がずれないよう、よりリング部材４に接続するために設けられる。
【００２５】
第４の突出部１３１、第５の突出部１３２、第６の突出部１３３、第７の突出部１３４は、リング部材４の内周面の角に対応する位置に配置される。
【００２６】
基準リブ１４の形状は、リング部材４の内周面４４に対して、面を有する多角形状である。潰しリブ１５の形状は、リング部材４の内周面４４に対して、凸を有する多角形状である。基準リブ１４は、例えば、第１の基準リブ１４１、及び第２の基準リブ１４２である。また、キャップ部材１が有する潰しリブ１５は例えば、第１の潰しリブ１５１、第２の潰しリブ１５２、第３の潰しリブ１５３、第４の潰しリブ１５４、第５の潰しリブ１５５、第６の潰しリブ１５６である。なお、基準リブ１４、及び潰しリブ１５の形状、及び数はこれに限られない。
【００２７】
また、複数のリブは、第２の突出部１３を挟み込むように配置される。具体的には、第４の突出部１３１は、第１の基準リブ１４１と、第１の潰しリブ１５１との間に配置する。第５の突出部１３２は、第２の基準リブ１４２と、第６の潰しリブ１５６との間に配置する。第６の突出部１３３は、第２の潰しリブ１５２と、第３の潰しリブ１５３との間に配置する。第７の突出部１３４は、第４の潰しリブ１５４と、第５の潰しリブ１５５との間に配置する。
【００２８】
複数のリブは、内周面４４の同一辺の面が接するように隣り合う第２の突出部１３との間に配置される。具体的には、第１の基準リブ１４１と第２の基準リブ１４２は、第４の突出部１３１と第５の突出部１３２との間に配置され、内周面４４の同一辺の面で接する。
【００２９】
第１の潰しリブ１５１と第２の潰しリブ１５２は、第４の突出部１３１と第６の突出部１３３との間に配置され、内周面４４の同一辺の面で接する。第３の潰しリブ１５３と潰し第４の潰しリブ１５４は、第６の突出部１３３と第７の突出部１３４との間に配置され、内周面４４の同一辺の面で接する。第５の潰しリブ１５５と第６の潰しリブ１５６は、第５の突出部１３２と第７の突出部１３４との間に配置され、内周面４４の同一辺の面で接する。
【００３０】
また、キャップ部材１を取り付けるときに、潰しリブ１６は、内周面４４に対して押し付け、潰しリブ１６が有する凸の部分を潰される。潰しリブ１６は、凸の部分を潰されることで、リング部材４との隙間がなくなりリング部材４とのがたつきを抑制することができる。
【００３１】
これにより、基準リブ１４は、潰しリブ１６をリング部材４の内周面４４に対して押し付けて潰すことで、位置規制、回転規制がされる。基準リブ１４が位置規制、回転規制することで、より第２の突出部１３はリング部材４と篏合する。すなわち、キャップ部材１は、鏡筒２との位置ずれ、芯ずれを抑制することができる。
【００３２】
続いて、実施形態に係る撮像装置１００を車両に適用した例について図６、図７、及び図８を用いて説明する。
【００３３】
図６は、本実施形態の撮像装置１００を車両のドア付近の側方の端部に設置され側方の電子ミラーとして適用した図である。車両のドア付近の側方の端部は例えば、サイドミラー６である。サイドミラー６は撮像装置１００を収容する。例えば、サイドミラー６に収容されている撮像装置１００をレンズ２１のレンズ径が異なる撮像装置と置き換える場合、サイドミラー６を変更することなく、撮像装置を変更する。
【００３４】
具体的には、サイドミラー６がそのまま利用できるように、キャップ部材１の形状を変更し、サイドミラー６に隙間ができないよう穴埋めの役割として、キャップ部材１を適用する。また、キャップ部材１は例えば、サイドミラー６と同色の塗装をする。これにより、キャップ部材１はサイドミラー６に合わせた形状、色の対応が可能となる。
【００３５】
図７は、本実施形態の撮像装置１００を車両の前側の端部に設置され前方の電子ミラーとして適用した図である。車両の前側の端部は例えば、フロントグリル７である。フロントグリル７は撮像装置１００を収容する。フロントグリル７は車両によって異なる。例えば、フロントグリル７に形状を合わせて、撮像装置１００が備えるキャップ部材１の形状のみを変更することで、フロントグリル７の形状に合わせて、撮像装置１００を適用することができる。
【００３６】
図８は、本実施形態の撮像装置１００を車両の後ろ側の端部（リアゲート）に設置され後方の電子ミラーとして適用した図である。車両の後ろ側の端部は例えば、リアゲート８である。リアゲート８は撮像装置１００を収容する。実施形態の撮像装置１００はキャップ部材１を設けることで、鏡筒２の凸部が露出することを避けることができ、例えば外突防規（突起物規制）を満たすことができる。
【００３７】
以上説明したように、本開示の一態様に係る撮像装置１００は、キャップ部材１、鏡筒２、筐体３、リング部材４を備える。キャップ部材１は、鏡筒２に設けられたリング部材４と、スナップフィット構造で接続する。
【００３８】
これにより、実施形態によれば、キャップ部材１は鏡筒２に設けられたリング部材４とスナップフィット構造で接続することで、キャップ部材１と筐体３を取り付けるねじ等の締結部品を備える必要がないため、撮像装置１００の部品コストや組み立て工数を抑制することができる。
【００３９】
（変形例）
次に、変形例について図面を用いて説明する。上述の実施形態と共通する部分については説明を適宜に省略する。なお、上述の実施形態と同様の構成要素については、同一の符号を付与し適宜説明を省略する。
【００４０】
上述の実施形態では、キャップ部材１は、リング部材４の内周面４４をスナップフィット構造で接続する形態を説明した。変形例では、さらに例えば、キャップ部材１０は、リング部材４の外周面４３をスナップフィット構造で接続する形態について説明する。
【００４１】
図９は、変形例に係る撮像装置の断面図の一例を示す図である。類似した断面図である図３と異なる点は、図９の鏡筒２は図３の鏡筒２と比較して大きい。これにより、キャップ部材１０は、リング部材４と接続する構成が異なる。
【００４２】
図９に示すように、キャップ部材１０は、キャップ部材１０の中央にレンズ２１０に対応する開口部１１１を有し、鏡筒２０を覆う。キャップ部材１０は、筐体３０と接続する。キャップ部材１０は、キャップ部材１の頂上面から−Ｚ方向に向けて突出した第８の突出部１３０を有する。第８の突出部１３０は、リング部材４の下端面４２にスナップフィット構造で接続する。接続構成については、後述する。
【００４３】
鏡筒２０は、レンズ２１０をＸＹ方向の外側から保持する。鏡筒２０は、ＸＹ方向の内側に光軸が通る空洞を有し、レンズ２１０の光を光軸に沿ってその下流側（−Ｚ方向）へ導く。鏡筒２０は、鏡筒２０の外周面２２０から外側に向けて張り出した円環状の第９の突出部２３０を有する。第９の突出部２３０は、筐体３の内側に収容される。第９の突出部２３０は、リング部材４の下端面４２に接続する。接続構成については、後述する。
【００４４】
筐体３０は、鏡筒２０及び基板５を収容する。筐体３０は、筐体３０の開口部３１０内に挿入するように鏡筒２０を収容する。筐体３０は、筐体３０の外周面３１１から内側に向けて張り出した方形状の第１０の突出部３１２を有する。第１０の突出部３１２は、＋Ｚ方向へ突出する第１１の突出部３１３を有する。第１１の突出部３１３は、リング部材４と接続する。接続構成については、後述する。
【００４５】
リング部材４の内周面４４は、外周面２２０と対向しており、リング部材４の内径は、鏡筒２０が挿入可能な径である。リング部材４の下端面４２は、キャップ部材１０が有する第８の突出部１３０、鏡筒２０が有する第９の突出部２３０、筐体３０が有する第１１の突出部３１３と接続する。接続構成については、後述する。
【００４６】
次に、キャップ部材１０、鏡筒２０、筐体３０、及びリング部材４の接続構成について、図１０を用いて説明する。図１０は、図９に記載の点線図に囲われた領域の拡大図である。
【００４７】
リング部材４の下端面４２の接続構成について説明する。上述した通り、リング部材４の下端面４２は、第８の突出部１３０、第９の突出部２３０、第１１の突出部３１３と接続する。具体的には、リング部材４の下端面４２の外周面４３と、第８の突出部１３０が接続する。リング部材４の下端面４２の外周面４３と内周面４４の間で、第９の突出部２３０、及び第１１の突出部３１３が接続する。
【００４８】
また、第８の突出部１３０は、キャップ部材１０を嵌め込むための篏合孔５００で篏合する。篏合孔５００は、第９の突出部２３０が側壁となる空間５０１に対して、リング部材４が空間５０１を覆うことで、篏合孔５００が形成される。第１１の突出部３１３は、篏合孔５００でリング部材４の下端面４２と接続する。
【００４９】
これにより、レンズ径が異なる鏡筒２０の場合でも、キャップ部材１０と筐体３０は、リング部材４を介して、スナップフィット構造で接続することができる。
【００５０】
本考案のいくつかの実施形態を説明したが、これらの実施形態は、例として提示したものであり、考案の範囲を限定することは意図していない。これらの実施形態は、その他の様々な形態で実施されることが可能であり、考案の要旨を逸脱しない範囲で、種々の省略、置き換え、変更を行うことができる。これらの実施形態やその変形は、考案の範囲や要旨に含まれると同様に、実用新案登録請求の範囲に記載された考案とその均等の範囲に含まれるものである。
【符号の説明】
【００５１】
１      キャップ部材
２      鏡筒
３      筐体
４      リング部材
１３    第２の突出部
１４    基準リブ
５０    篏合孔
【図１】
0003234888.tif 000003
【図２】
0003234888.tif 000004
【図３】
0003234888.tif 000005
【図４】
0003234888.tif 000006
【図５】
0003234888.tif 000007
【図６】
0003234888.tif 000008
【図７】
0003234888.tif 000009
【図８】
0003234888.tif 000010
【図９】
0003234888.tif 000011
【図１０】
0003234888.tif 000012